(57)【要約】【課題】屋根下地の野地板や垂木に施工するため、野地板に穴を開けて、防水性能を損なうことのない太陽電池取付屋根構造を得る。【解決手段】金属板による成型瓦の屋根構造において、取付面を持つ取付材を、屋根の流れ方向にむけて、屋根上に固定し、太陽電池を乗せて固定した太陽電池枠体を、その取付材の取付面に架設する太陽電池取付屋根構造とする。【選択図】  図１
2005068966.tif 000002
【特許請求の範囲】
【請求項１】
金属板による表面材を成形して、平坦な屋根板面と、複数の表面側に山形に折り曲げた隆起部とを持ち、その前端部と後端部に表面側にクランク状に折り曲げた段差部を形成する屋根材を複数施工する屋根構造において、取付面を持つ取付材を、屋根の流れ方向にむけて、屋根上に固定し、太陽電池を乗せて固定した太陽電池枠体を、その取付材の取付面に架設することを特徴とする太陽電池取付屋根構造。
【請求項２】
前記の取付材を、取り付け用の固定材を介して屋根上に固定することを特徴とする請求項１記載の太陽電池取付屋根構造。
【請求項３】
前記の取付材を固定用の部材を介して、取り付け用の固定材に固定することを特徴とする請求項２記載の太陽電池取付屋根構造。
【請求項４】
前記の取付材が差込部と嵌合部とを持ち、取付材の嵌合部に、他の取付材の差込部を差し込み施工することを特徴とする請求項１〜請求項３記載の太陽電池取付屋根構造。
【請求項５】
前記の取付材か固定材を、前記の屋根材の隆起部に跨がせ施工することを特徴とする請求項１〜請求項４記載の太陽電池取付屋根構造。
【発明の詳細な説明】
【技術分野】
【０００１】  この発明は、金属板等からなる枠に太陽電池を固定した太陽電池枠体を、屋根の流れ方向に向く取付材を介して、金属製屋根材に取り付けた太陽電池取付屋根構造に関する。
【背景技術】
【０００２】  従来、屋根上に太陽電池枠体を取り付ける場合、屋根材の強度に信頼性がないため、屋根材を貫通する釘、ビス等により、取付材を屋根下地の野地板や垂木に固定する技術が知られている。【０００３】
【特許文献１】  特開２０００−８０７６８公報
【発明の開示】
【発明が解決しようとする課題】
【０００４】  従来の技術には、屋根下地の野地板や垂木に施工するため、
ａ．野地板に穴を開けるため、
イ．施工ミスによりビス等を撤去したときの孔などにより、防水性能を損ない、
ｂ．野地板や垂木に穴開けることにより、
イ．野地板や垂木の、雨水や結露水による腐朽の原因となっていた。
【課題を解決するための手段】
【０００５】  この発明による太陽電池取付屋根構造は、金属板による表面材を成形して、平坦な屋根板面と、複数の隆起部とを持ち、その前端部と後端部に段差部を形成する屋根材の、隆起部に、他の屋根材の隆起部を被せて、複数施工し、それらの施工された屋根材の段差部に、他の屋根材の段差部を合わせて、複数の屋根材を施工する屋根構造において、取付面を持つ取付材を、屋根の流れ方向にむけて、屋根上に固定し、太陽電池を乗せて固定した太陽電池枠体を、その取付材の取付面に架設する太陽電池取付屋根構造とする。
【発明の効果】
【０００６】  上記のような、この発明による太陽電池取付屋根構造には、次の様な効果がある。【０００７】Ａ．取付材を、屋根材に固定し、太陽電池枠体を、その取付材の取付面に架設する太陽電池取付屋根構造とすることにより、
ａ．野地板に穴を開けて、防水性能を損なう事が無くなり、
イ．施工ミスによりビス等を撤去したときの防水紙の孔を、屋根材を撤去して修理する必要が無くなり、
ｂ．野地板や垂木に穴開けることが無くなり、
イ．野地板や垂木の、雨水や結露水による腐朽が防止できる。【０００８】Ｂ．取付材を、取り付け用の固定材を介して屋根上に固定することにより、
ａ．取付材を長尺品とすることが可能になり、
イ．長尺品の生産に向いたフォーミングロール等の生産方法が選択可能になり、取付材のコストを下げることが容易に可能になり、
ロ．現場での取付材施工が効率的になり、
ｂ．固定材の形状が、プレス加工等により最適なものが選択可能になる。【０００９】Ｃ．固定用の部材を介して、取り付け用の固定材に固定することにより、
ａ．角パイプ等の固定困難な取付材が容易に固定可能になる。【００１０】Ｄ．取付材が差込部と嵌合部とを持ち、取付材の嵌合部に、他の取付材の差込部を差し込み施工すること
ａ．取付材の固定が少ない回数で可能になり、
イ．施工性が向上する。【００１１】Ｅ．取付材か固定材を、前記の屋根材の隆起部に跨がせ施工することにより、
ａ．隆起部に安定して仮置きが可能になり、
イ．施工性が向上する。
【発明を実施するための最良の形態】
【００１２】Ａ．この発明による金属板は、
ａ．次に代表される塗装金属板や、
イ．塗装亜鉛メッキ鋼板
ロ．塗装アルミニウ厶亜鉛合金メッキ鋼板
ハ．塗装ステンレス鋼板
ニ．塗装銅板
ホ．塗装アルミニウ厶合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板等
ｄ．場合によっては、合成樹脂等を使用する。【００１３】Ｂ．この発明に使用されるビス止めは、
ａ．ビス止めには、次に代表される、固定具を使用する。
イ．タッピングビス
ロ．釘
ハ．ホッチキス
ニ．木ネジ
ホ．ポップリベット等【００１４】Ｃ．この発明に使用されるパッキン材は、
ａ．パッキン材は次の弾性体等を使用している。
イ．ゴム系
ロ．合成コム系
ハ．合成樹脂系【００１５】  発明の実施例について、次の、実施例１、実施例２、実施例３、実施例４、及び実施例５により、図面を参照して説明する。
【実施例１】
【００１６】  図１，図２，図３，図４，及び図５は、この発明の実施例１を示すものである。【００１７】Ａ．図４に示す、この発明の実施例１においての屋根材１は、
ａ．金属板６による長尺の表面材１ａを成形して、
イ．ほぼ平坦で矩形の屋根板面１ｂと、
ｂ．その屋根板面１ｂの一側端を、
イ．表面側に小さな山形に折り曲げて、小隆起１ｆを形成し、
ロ．さらに、その小隆起１ｆを表面側に大きな山形に折り曲げて、隆起部１ｅを形成し、
ハ．そして、その隆起部１ｅを表面側に小さな山形に折り曲げて、他の小隆起１ｆを形成し、
ｃ．また、その両側に小隆起１ｆを形成した隆起部１ｅと屋根板面１ｂとの組み合わせを、所定ピッチで複数形成し、
イ．その一方の側端部１ｉは、隆起部１ｅの頂上から少し外方に位置し、
ロ．その隆起部１ｅの頂上から少し内方の位置に、毛管現象による雨漏れを防止するために、裏面側に凹む浅いＶ字形の細溝部１ｈを形成し、
ハ．その他方の側端部１ｉは、隆起部１ｅの外方の小隆起１ｆの頂上から外方に位置し、
ｄ．そして、その成形した表面材１ａの長手方向の端部の前端部１ｃから、後方の位置を表面側にクランク状に折り曲げて段差部１ｇを次のように形成し、
イ．前記の屋根板面１ｂにおいては、前端部１ｃ面に平行な段差部１ｇを配置し、
ロ．隆起部１ｅと小隆起１ｆにおいては、屋根板面１ｂに４５度の傾斜で交差する面と、隆起部１ｅや小隆起１ｆとが構成する面との交線に、段差部１ｇを配置し、
ハ．その段差部１ｇを所定ピッチで複数形成し、
ニ．その段差部１ｇの後方の位置に、後端部１ｄを形成している構成としている。【００１８】Ｂ．図５に示す、実施例１においての、太陽電池枠体３は、
ａ．外側に折り曲げた枠脚３ｃを持つ枠３ｂに、
ｂ．太陽電池３ａを乗せて、パッキン材７を介して支持片３ｄにより固定している。【００１９】Ｃ．図３に示す、実施例１においての、取付材２と固定材２ｆは、
ａ．長尺の金属板６を成形して、断面コの字形に成形して取付材２とし、
イ．平坦な取付面２ａの両側を裏面側にＬ字形に折り曲げて、取付側面２ｂを形成し、
ｂ．金属板６を成形して固定材２ｆとし、
イ．平坦な固定面２ｇの両側を裏面側にＬ字形に折り曲げて、固定側面２ｈを形成し、
ロ．その固定側面２ｈを表面側にくの字形に折り曲げて、両側に固定脚２ｉを形成し、
ハ．その固定脚２ｉの片方を後方に延長し、さらに固定側面２ｈの側方に山形に延長して、固定舌２ｊを形成し、
ニ．その固定舌２ｊの頂上にビス穴２ｋを穴開けしている。【００２０】Ｄ．図１及び図２に示す、実施例１の施工は、
ａ．屋根下地５の野地板５ａに、屋根材１の段差部１ｇのピッチに合わせて、桟木５ｂを取り付け、
ｂ．次のように屋根材１を施工し、
イ．取り付けられた桟木５ｂに、屋根材１の段差部１ｇを合わせて、その屋根材１の隆起部１ｅの頂上を傘状の頭部を持つフランジビス４ｂにより桟木５ｂに固定し、
ロ．その固定した屋根材１の細溝部１ｉを持つ隆起部１ｅに、他の屋根材１の側端部１ｉの隆起部１ｅを被せて、屋根材１の隆起部１ｅの頂上を傘状の頭部を持つフランジビス４ｂにより桟木５ｂに固定し、
ハ．上記を繰り返して複数の屋根材１を施工し、
ニ．それらの固定された、複数の屋根材１の後端部１ｄの段差部１ｇに、他の屋根材１の前端部１ｃの段差部１ｇを合わせて、その屋根材１を固定し、
ホ．前記を繰り返して複数列の屋根材１を施工し、
ｃ．その施工した屋根材１に、次のように取付材２を複数取り付け、
イ．屋根材１の隆起部１ｅに、前記の固定材２ｆの固定脚２ｉを跨がせて、その固定舌２ｊを桟木５ｂの位置に、フランジビス４ｂにより桟木５ｂに固定し、
ロ．上記を繰り返して、複数の固定材２ｆを施工した屋根材１に固定し、
ハ．その固定した固定材２ｆの固定面２ｇに、取付材２の取付面２ａを乗せて、その取付面２ａを固定材２ｆの固定面２ｇに小ビス４ａにより固定し、
ｄ．その取り付けた複数の取付材２に、次のように太陽電池枠体３を架設し、
イ．取付材２の取付面２ａに太陽電池枠体３を乗せて、
ロ．その枠脚３ｃを小ビス４ａにより固定し、
ハ．上記を繰り返し複数の太陽電池枠体３を架設する。
【実施例２】
【００２１】  図４，図５，図６，図７，及び図８は、この発明の実施例２を示すものである。【００２２】Ａ．図４に示す、この発明の実施例２においての屋根材１は、実施例１と同じものである。【００２３】Ｂ．図５に示す、実施例２においての、太陽電池枠体３は、実施例１と同じものである。【００２４】Ｃ．図８に示す、実施例２においての、取付材２と固定材２ｆは、
ａ．長尺の金属板６による、断面矩形の角パイプに成形して取付材２とし、
イ．角パイプの長辺を取付面２ａとし、
ロ．その両側の角パイプの短辺を取付側面２ｂとし、
ハ．その角パイプの他の長辺を固定片２ｃとし、
ｂ．金属板６を成形して固定材２ｆとし、
イ．平坦な固定面２ｇの両側を裏面側にＬ字形に折り曲げて、固定側面２ｈを形成し、
ロ．その固定側面２ｈを表面側にくの字形に折り曲げて、両側に固定脚２ｉを形成し、
ハ．また、その固定側面２ｈを後方に延長し、その半ばより裏面側に折り返して、前記の固定脚２ｉの延長面で表面側に折り曲げて、さらに後方に延長して固定舌２ｊを形成し、
ニ．その固定舌２ｊにビス穴２ｋを穴開けし、
ホ．前記の固定面２ｇを前方に延長して、さらに両側方に延長し、そして表面側にＬ字形に折り曲げた案内片２１を形成し、
ヘ．その案内片２１に支持穴２ｍを穴開けしている。【００２５】Ｄ．図６及び図７に示す、実施例２の施工は、
ａ．屋根下地５の野地板５ａに、屋根材１の段差部１ｇのピッチに合わせて、桟木５ｂを取り付け、
ｂ．次のように屋根材１を施工し、
イ．取り付けられた桟木５ｂに、屋根材１の段差部１ｇを合わせて、その屋根材１の隆起部１ｅの頂上を傘状の頭部を持つフランジビス４ｂにより桟木５ｂに固定し、
ロ．その固定した屋根材１の細溝部１ｉを持つ隆起部１ｅに、他の屋根材１の側端部１ｉの隆起部１ｅを被せて、屋根材１の隆起部１ｅの頂上を傘状の頭部を持つフランジビス４ｂにより桟木５ｂに固定し、
ハ．上記を繰り返して複数の屋根材１を施工し、
ニ．それらの固定された、複数の屋根材１の後端部１ｄの段差部１ｇに、他の屋根材１の前端部１ｃの段差部１ｇを合わせて、その屋根材１を固定し、
ホ．前記を繰り返して複数列の屋根材１を施工し、
ｃ．その施工した屋根材１に、次のように取付材２を複数取り付け、
イ．屋根材１の隆起部１ｅに、前記の固定制２ｆの固定脚２ｉを跨がせて、その固定舌２ｊを桟木５ｂの位置に、フランジビス４ｂにより桟木５ｂに固定し、
ロ．上記を繰り返して、複数の固定材２ｆを施工した屋根材１に固定し、
ハ．その固定した固定材２ｆの固定面２ｇに、取付材２の固定片２ｃを乗せて、その取付側面２ｂを固定材２ｆの案内片２ｌに小ビス４ａにより固定し、
ｄ．その取り付けた複数の取付材２に、次のように太陽電池枠体３を架設し、
イ．取付材２の取付面２ａに太陽電池枠体３を乗せて、
ロ．その枠脚３ｃを小ビス４ａにより固定し、
ハ．上記を繰り返し複数の太陽電池枠体３を架設する。
【実施例３】
【００２６】  図４，図５，図９，図１０，及び図１１は、この発明の実施例３を示すものである。【００２７】Ａ．図４に示す、この発明の実施例３においての屋根材１は、実施例１と同じものである。【００２８】Ｂ．図５に示す、実施例３においての、太陽電池枠体３は、実施例１と同じものである。【００２９】Ｃ．図１１に示す、実施例３においての、取付材２と固定材２ｆと固定帯２ｎは、
ａ．長尺の金属板６による、断面矩形の角パイプに成形して取付材２とし、
イ．角パイプの長辺を取付面２ａとし、
ロ．その両側の角パイプの短辺を取付側面２ｂとし、
ハ．その角パイプの他の長辺を固定片２ｃとし、
ｂ．金属板６を成形して固定材２ｆとし、
イ．平坦な固定面２ｇの両側を裏面側にＬ字形に折り曲げて、固定側面２ｈを形成し、
ロ．その固定側面２ｈを表面側にくの字形に折り曲げて、両側に固定脚２ｉを形成し、
ハ．また、その固定側面２ｈを後方に延長し、その半ばより裏面側に折り返して、前記の固定脚２ｉの延長面で表面側に折り曲げて、さらに後方に延長して固定舌２ｊを形成し、
ニ．その固定舌２ｊにビス穴２ｋを穴開けし、
ｃ．また、帯状の金属板６を成形して固定帯２ｎとし、
イ．前記の取付材２の外周に沿う矩形に折り曲げ、その長辺の一辺をＬ字形に表面側に折り曲げて、相対する挟込片２ｏを形成し、
ロ．その挟込片２ｏ間は固定材２ｆの固定側面２ｈを挟める間隔を形成し、
ヘ．その挟込片２ｏに挟込穴２ｐを穴開けし、
ト．また、長辺の他辺に取付穴２ｑを穴開けしている。【００３０】Ｄ．図９及び図１０に示す、実施例３の施工は、
ａ．屋根下地５の野地板５ａに、屋根材１の段差部１ｇのピッチに合わせて、桟木５ｂを取り付け、
ｂ．次のように屋根材１を施工し、
イ．取り付けられた桟木５ｂに、屋根材１の段差部１ｇを合わせて、その屋根材１の隆起部１ｅの頂上を傘状の頭部を持つフランジビス４ｂにより桟木５ｂに固定し、
ロ．その固定した屋根材１の細溝部１ｊを持つ隆起部１ｅに、他の屋根材１の側端部１ｉの隆起部１ｅを被せて、屋根材１の隆起部１ｅの頂上を傘状の頭部を持つフランジビス４ｂにより桟木５ｂに固定し、
ハ．上記を繰り返して複数の屋根材１を施工し、
ニ．それらの固定された、複数の屋根材１の後瑞邵１ｄの段差部１ｇに、他の屋根材１の前端部１ｃの段差部１ｇを合わせて、その屋根材１を固定し、
ホ．前記を繰り返して複数列の屋根材１を施工し、
ｃ．その施工した屋根材１に、次のように取付材２を複数取り付け、
イ．屋根材１の隆起部１ｅに、前記の固定材２ｆの固定脚２ｉを跨がせて、その固足舌２ｊを桟木５ｂの位置に、フランジビス４ｂにより桟木５ｂに固定し、
ロ．上記を繰り返して、複数の固定材２ｆを施工した屋根材１に固定し、
ハ．固定材２ｆに応じた数の固定帯２ｎに取付材２を通し、
ニ．その前記の固定した固定材２ｆの固定側面２ｈに、取付材２に通した固定帯２ｎの挟込片２ｏを合わせて、その固定側面２ｈを挟み、
ホ．その挟込片２ｏを固定側面２ｈに小ビス４ａにより固定し、
ヘ．その固定帯２ｎの取付穴２ｑに小ビス４ａをねじ込み、取付材２の取付面２ａを固定し、
ｄ．その取り付けた複数の取付材２に、次のように太陽電池枠体３を架設し、
イ．取付材２の取付面２ａに太陽電池枠体３を乗せて、
ロ．その枠脚３ｃを小ビス４ａにより固定し、
ハ．上記を繰り返し複数の太陽電池枠体３を架設する。
【実施例４】
【００３１】  図４，図５，図１２，図１３，及び図１４は、この発明の実施例４を示すものである。【００３２】Ａ．箘４に示す、この発明の実施例４においての屋根材１は、実施例１と同じものである。【００３３】Ｂ．図５に示す、実施例４においての、太陽電池枠体３は、実施例１と同じものである。【００３４】Ｃ．図１４に示す、実施例４においての、取付材２と固定材２ｆは、
ａ．短尺の金属板６を成形して、断面コの字形に成形して取付材２とし、
イ．平坦な取付面２ａの両側を裏面側にＬ字形に折り曲げて、取付側面２ｂを形成し、
ロ．その取付側面２ｂの一端を両外側に、ほぼ板厚程度以上に押し広げて、嵌合部２ｅを形成し、その取付面２ａに固定穴２ｒを穴開けし、
ハ．その長手方向の他端を差込部２ｄとし、
ｂ．矩形の金属板６を成形して固定材２ｆとし、
イ．平坦な固定面２ｇの両側を裏面側にＬ字形に折り曲げて、固定側面２ｈを形成し、
ロ．その固定側面２ｈを表面側にＬ字形折り曲げて、両側に固定脚２ｉを形成し、
ハ．その固定脚２ｉにビス穴２ｋを穴開けしている。【００３５】Ｄ．図１２及び図１３に示す、実施例４の施工は、
ａ．屋根下地５の野地板５ａに、屋根材１の段差部１ｇのピッチに合わせて、桟木５ｂを取り付け、
ｂ．次のように屋根材１を施工し、
イ．取り付けられた桟木５ｂに、屋根材１の段差部１ｇを合わせて、その屋根材１の隆起部１ｅの頂上を傘状の頭部を持つフランジビス４ｂにより桟木５ｂに固定し、
ロ．その固定した屋根材１の細溝部１ｉを持つ隆起部１ｅに、他の屋根材１の側端部１ｉの隆起部１ｅを被せて、屋根材１の隆起部１ｅの頂上を傘状の頭部を持つフランジビス４ｂにより桟木５ｂに固定し、
ハ．上記を繰り返して複数の屋根材１を施工し、
ニ．それらの固定された、複数の屋根材１の後端部１ｄの段差部１ｇに、他の屋根材１の前端部１ｃの段差部１ｇを合わせて、その屋根材１を固定し、
ホ．前記を繰り返して複数列の屋根材１を施工し、
ｃ．その施工した屋根材１に、次のように取付材２を複数取り付け、
イ．屋根材１の隆起部１ｅの頂上に、前記の固定材２ｆの固定脚２ｉを乗せて、小ビス４ａにより屋根材１に固定し、
ロ．上記を繰り返して、複数の固定材２ｆを施工した屋根利１に固定し、
ハ．その固定した固定材２ｆの固定面２ｇに、取付材２の嵌合部２ｅの取付面２ａを乗せて、その取付面２ａを固定材２ｆの固定面２ｇに小ビス４ａにより固定し、
ニ．その固定した取付材２の差込部２ｄに、他の取付材２の嵌合部２ｅの取付面２ａを乗せて、その取付面２ａを固定材２ｆの固定面２ｇに小ビス４ａにより固定し、
ホ．上記を繰り返して、固定材２ｆと固定材２ｆとの間に取付材２を取り付け、
ｄ．その取り付けた複数の取付材２に、次のように太陽電池枠体３を架設し、
イ．取付材２の取付面２ａに太陽電池枠体３を乗せて、
ロ．その枠脚３ｃを小ビス４ａにより固定し、
ハ．上記を繰り返し複数の太陽電池枠体３を架設する。
【実施例５】
【００３６】  図４，図５，図１５，図１６，及び図１７は、この発明の実施例５を示すものである。【００３７】Ａ．図４に示す、この発明の実施例５においての屋根材１は、実施例１と同じものである。【００３８】Ｂ．図５に示す、実施例５においての、太陽電池枠体３は、実施例１と同じものである。【００３９】Ｃ．図１７に示す、実施例５においての、取付材２は、
ａ．短尺の金属板６を成形して、取付材２とし、
イ．平坦な取付面２ａの両側を裏面側にＬ字形に折り曲げて、取付側面２ｂを形成し、
ロ．その取付側面２ｂを次の角度で表面側にくの字形に折り曲げて、両側に固定片２ｃを形成し、
○その角度は屋根板１の、段差部１ｇと他の段差部１ｇとの同じ部分を結ぶ線と屋根板面１ｂとのなす角度で、
ハ．その固定片２ｃに固定穴２ｒを穴開けし、
ニ．その取付側面２ｂと取付面２ａの、取付側面２ｂが広い方向の長手方向の端部を延長し、
ホ．そして、ほぼ板厚程度以上に押し窄めて、差込部２ｄを形成し、
ヘ．その長手方向の他端を嵌合部２ｅとしている。【００４０】Ｄ．図１５及び図１６に示す、実施例６の施工は、
ａ．屋根下地５の野地板５ａに、屋根材１の段差部１ｇのピッチに合わせて、桟木５ｂを取り付け、
ｂ．次のように屋根材１を施工し、
イ．取り付けられた桟木５ｂに、屋根材１の段差部１ｇを合わせて、その屋根材１の隆起部１ｅの頂上を傘状の頭部を持つフランジビス４ｂにより桟木５ｂに固定し、
ロ．その固定した屋根材１の細溝部１ｉを持つ隆起部１ｅに、他の屋根材１の側端部１ｉの隆起部１ｅを被せて、屋根材１の隆起部１ｅの頂上を傘状の頭部を持つフランジビス４ｂにより桟木５ｂに固定し、
ハ．上記を繰り返して複数の屋根材１を施工し、
ニ．それらの固定された、複数の屋根材１の後端部１ｄの段差部１ｇに、他の屋根材１の前端部１ｃの段差部１ｇを合わせて、その屋根材１を固定し、
ホ．前記を繰り返して複数列の屋根材１を施工し、
ｃ．その施工した屋根材１に、次のように取付材２を複数取り付け、
イ．屋根材１の隆起部１ｅに、前記の取付材２の固定片２ｃを乗せて、固定穴２ｒに小ビス４ａをねじ込み、小ビス４ａにより屋根材１に固定し、
ロ．その固定した取付材２の差込部２ｄに、他の取付材２の嵌合部２ｅの取付面２ａを乗せて、その固定片２ｃを小ビス４ａにより屋根利１に固定し、
ハ．上記を繰り返して、複数の取付材２を取り付け、
ｄ．その取り付けた複数の取付材２に、次のように太陽電池枠体３を架設し、
イ．取付材２の取付面２ａに太陽電池枠体３を乗せて、
ロ．その枠脚３ｃを小ビス４ａにより固定し、
ハ．上記を繰り返し複数の太陽電池枠体３を架設する。
【図面の簡単な説明】
【００４１】
【図１】  太陽電池取付屋根構造の施工状態を示す一部省略斜視図（実施例１）
【図２】  太陽電池取付屋根構造の施工状態を示す一部省略端面図（実施例１）
【図３】  取付材および固定材の一部省略斜視図（実施例１）
【図４】  屋根材の斜視図（実施例１〜５）
【図５】  太陽電池枠体の一部省略斜視図（実施例１〜５）
【図６】  太陽電池取付屋根構造の施工状態を示す一部省略斜視図（実施例２）
【図７】  太陽電池取付屋根構造の施工状態を示す一部省略端面図（実施例２）
【図８】  取付材および固定材の一部省略斜視図（実施例２）
【図９】  太陽電池取付屋根構造の施工状態を示す一部省略斜視図（実施例３）
【図１０】  太陽電池取付屋根構造の施工状態を示す一部省略端面図（実施例３）
【図１１】  取付材と固定材および固定帯の一部省略斜視図（実施例３）
【図１２】  太陽電池取付屋根構造の施工状態を示す一部省略斜視図（実施例４）
【図１３】  太陽電池取付屋根構造の施工状態を示す一部省略端面図（実施例４）
【図１４】  取付材および固定材の斜視図（実施例４）
【図１５】  太陽電池取付屋根構造の施工状態を示す一部省略斜視図（実施例５）
【図１６】  太陽電池取付屋根構造の施工状態を示す一部省略端面図（実施例５）
【図１７】  取付材の斜視図（実施例５）
【符号の説明】
【００４２】  １  屋根材
２  取付材
３  太陽電池枠体
４  ビス
５  屋根下地
６  金属板
７  パッキン材
【図１】
2005068966.tif 000003
【図２】
2005068966.tif 000004
【図３】
2005068966.tif 000005
【図４】
2005068966.tif 000006
【図５】
2005068966.tif 000007
【図６】
2005068966.tif 000008
【図７】
2005068966.tif 000009
【図８】
2005068966.tif 000010
【図９】
2005068966.tif 000011
【図１０】
2005068966.tif 000012
【図１１】
2005068966.tif 000013
【図１２】
2005068966.tif 000014
【図１３】
2005068966.tif 000015
【図１４】
2005068966.tif 000016
【図１５】
2005068966.tif 000017
【図１６】
2005068966.tif 000018
【図１７】
2005068966.tif 000019